(57)【要約】【課題】子供たちにお金に親しんで楽しく学習して貰えるようにした子供用の教材として有効な貯金箱を提供すること。【解決手段】仕分部は仕切板２により前方空間と後方空間に分けられており、前方空間には上方のコイン投入口１から投入されたコインＣが仕切板２に沿って転がり落ちるスロープ３，４，５が階段状に設けられ、仕切板２には各種のコインがそれぞれ丁度通過できるサイズの開口６，７，８，９が径が大きくなる順でスロープに沿って設けられ、後方空間にはそれぞれの開口から収納部に繋がる縦向きの複数の通路が横に並んで設けられており、収納部には仕分部の後方空間の各通路にそれぞれ繋がった複数の隙間状空間１１，１２，１３，１４が横に並ぶように設けられており、各隙間状空間は落下してきたコインが縦方向に一列に並ぶように構成されている。【選択図】図１
0003124640.tif 000002
【実用新案登録請求の範囲】
【請求項１】
扁平状で前面が透視可能なプラスチック製のケースからなり、上側の仕分部とその下側に位置する収納部とを備え、仕分部は仕切板により前方空間と後方空間に分けられており、前方空間には上方のコイン投入口から投入されたコインが仕切板に沿って転がり落ちるスロープが階段状に設けられ、仕切板には各種のコインがそれぞれ丁度通過できるサイズの開口が径が大きくなる順でスロープに沿って設けられ、後方空間にはそれぞれの開口から収納部に繋がる縦向きの複数の通路が横に並んで設けられており、収納部には仕分部の後方空間の各通路にそれぞれ繋がった複数の隙間状空間が横に並ぶように設けられており、各隙間状空間は落下してきたコインが縦方向に一列に並ぶように構成されていることを特徴とする貯金箱。
【請求項２】
収納部の各隙間状空間に下から上に向かって昇順に番号を表示したことを特徴とする請求項１に記載の貯金箱。
【請求項３】
所定角度で後ろ側に傾けるための傾斜手段を設けたことを特徴とする請求項１又は２に記載の貯金箱。
【請求項４】
隙間状空間にたまったコインを取り出すための取出手段を設けたことを特徴とする請求項１〜３のいずれかに記載の貯金箱。
【考案の詳細な説明】
【技術分野】
【０００１】
本考案は、金銭的な知識を養うための子供用の教材として有効に用いられる貯金箱に関するものである。
【背景技術】
【０００２】
従来より、子供に金銭的な知識を身につけさせるための教材として、板紙をコインの形状に打ち抜いた擬似コインがある。この板紙製の擬似コインは昔から知られており、子供たちがこれを使って買物遊びをしたり、並べて計算したりすることで、お金に親しんで楽しく学習するものである。
【０００３】
また、単なる硬化を入れるのと同時に貯金の金額が表示されるようした貯金箱や、硬化の選別機能が付いた貯金箱なども知られており、これらも単なる貯金箱としての機能のほかに教材的な機能も備えている。
【特許文献１】実開平６−３１２０号公報
【特許文献２】特開平６−１２５８０９号公報
【考案の開示】
【考案が解決しようとする課題】
【０００４】
従来の板紙製の擬似コインは、単なる紙なので、最近の子供たちにとってそれほど興味を引くものではない。また、上記したような貯金箱は、子供たちがお金に親しんで楽しく学習できるものではなく、子供向けの教材としては不十分なものである。
【０００５】
本考案は、上記のような事情に鑑みてなされたものであり、その目的とするところは、子供たちにお金に親しんで楽しく学習して貰えるようにした子供用の教材として有効な貯金箱を提供することにある。
【課題を解決するための手段】
【０００６】
請求項１に記載の考案である貯金箱は、扁平状で前面が透視可能なプラスチック製のケースからなり、上側の仕分部とその下側に位置する収納部とを備え、仕分部は仕切板により前方空間と後方空間に分けられており、前方空間には上方のコイン投入口から投入されたコインが仕切板に沿って転がり落ちるスロープが階段状に設けられ、仕切板には各種のコインがそれぞれ丁度通過できるサイズの開口が径が大きくなる順でスロープに沿って設けられ、後方空間にはそれぞれの開口から収納部に繋がる縦向きの複数の通路が横に並んで設けられており、収納部には仕分部の後方空間の各通路にそれぞれ繋がった複数の隙間状空間が横に並ぶように設けられており、各隙間状空間は落下してきたコインが縦方向に一列に並ぶように構成されていることを特徴としている。
【０００７】
請求項２に記載の考案である貯金箱は、請求項１に記載の貯金箱において、収納部の各隙間状空間に下から上に向かって昇順に番号を表示したことを特徴としている。
【０００８】
請求項３に記載の考案である貯金箱は、請求項１又は２に記載の貯金箱において、所定角度で後ろ側に傾けるための傾斜手段を設けたことを特徴としている。
【０００９】
請求項４に記載の考案である貯金箱は、請求項１〜３のいずれかに記載の貯金箱において、隙間状空間にたまったコインを取り出すための取出手段を設けたことを特徴としている。
【考案の効果】
【００１０】
請求項１に記載の考案である貯金箱は、後ろ側に傾けた状態にしてコイン投入口からコインを入れると、仕切板に沿いながら前方空間のスロープを転がりつつ大きさに対応した開口から後方空間に落ち、同じ種類のコインが隙間状空間に一列に並ぶようになっているので、子供にとっては転がる面白さと貯める嬉しさがあり、お金に対する興味を育むことから、教材として優れた効果を発揮する。
【００１１】
請求項２に記載の考案である貯金箱は、請求項１に記載の貯金箱において、収納部の各隙間状空間に下から上に向かって昇順に番号を表示したことにより、上記効果に加え、コインが貯まる様子が明確になり、数える訓練を行うことができるという効果を奏する。
【００１２】
請求項３に記載の考案である貯金箱は、請求項１又は２に記載の貯金箱において、所定角度で後ろ側に傾けるための傾斜手段を設けたことにより、上記効果に加え、自立状態で使用することができるという効果を奏する。
【００１３】
請求項４に記載の考案である貯金箱は、請求項１〜３のいずれかに記載の貯金箱において、隙間状空間に溜まったコインを取り出すための取出手段を設けたことにより、上記効果に加え、中に入れたコインを簡単に取り出すことができるという効果を奏する。
【考案を実施するための最良の形態】
【００１４】
以下、図面を参照して本考案の実施の形態を説明する。
【００１５】
図１は本考案に係る貯金箱の一例を示す斜視図、図２は図１に示した貯金箱の縦方向の断面図である。
【００１６】
この貯金箱は図示のように外観が扁平状で前面が透視可能なプラスチック製のケースからなり、上側の仕分部とその下側に位置する収納部とを備えている。上側の仕分部はコイン投入口１から投入したコインＣを種類別に分ける役目を果たす部位であり、仕分部の下側に位置する収納部は分けられたコインＣを蓄積する部位である。
【００１７】
仕分部は仕切板２により前方空間と後方空間に分けられており、前方空間には上方のコイン投入口１から投入されたコインＣが仕切板２に沿って転がり落ちるスロープ３，４，５が階段状に設けられている。そして、仕切板２には１０円硬貨、５０円硬貨、１００円硬貨、５００円硬貨の各コインＣがそれぞれ丁度通過できるサイズの開口６，７，８，９が径が大きくなる順（５０円硬貨、１００円硬貨、１０円硬貨、５００円硬貨の順）でスロープに沿って設けられており、後方空間にはそれぞれの開口６，７，８，９から収納部に繋がる縦向きの４つの通路１０が横に並んで設けられている。
【００１８】
また、収納部には仕分部の後方空間の各通路１０にそれぞれ繋がった４つの隙間状空間１１，１２，１３，１４が横に並ぶように設けられており、各隙間状空間１１，１２，１３，１４は落下してきたコインＣが縦方向に一列に並ぶようになっている。そして、これらの隙間状空間１１，１２，１３，１４にはそれぞれ下から上に向かって昇順に番号（１〜５）が付されている。
【００１９】
また、貯金箱の裏側にはヒンジ部材１５とそれに回動自在に脚部１６が取り付けられており、所定角度で後ろ側に傾けた姿勢を採ることができるようになっている。また、図示はしないが、この貯金箱は収納部の下側部分をスライドさせることが可能で、隙間状空間にたまったコインＣを取り出すことができるようになっている。
【００２０】
この貯金箱は図２に示す如く後ろ側に傾けた状態で使用する。この傾けた状態でコイン投入口１からコインＣを入れると、コインＣは仕切板２に沿いながらスロープ３，４，５を転がりつつ大きさに対応した開口６，７，８，９から後方空間の通路１０に落ち、同じ種類のコインが隙間状空間１１，１２，１３，１４に一列に並ぶ。この様子が外から見えるので、コインＣが仕分けられてたまる様子が良く分かり、転がる面白さと貯める嬉しさが子供のお金に対する興味を育むことになる。また、収納部が計数器の役目を果たすので、お金の勘定の勉強をすることができ、特に番号を表示しておくことで、付された番号が目盛になるので正確に数える訓練を行うことができる。
【００２１】
以上、本考案の実施の形態について詳細に説明してきたが、本考案による貯金箱は、上記実施の形態に何ら限定されるものではなく、本考案の趣旨を逸脱しない範囲において種々の変更が可能であることは当然のことである。
【００２２】
例えば、上記の例では、ヒンジ部材と脚部からなる傾斜手段を設けたが、所定角度で後ろ側に傾けることができさえすれば、設ける傾斜手段は任意である。また、傾斜手段を特に設けなくてもよく、この場合は、手で傾けたり立てかけたりして使用すればよい。
【００２３】
また、上記の例では、たまったコインを取り出すために、収納部分の下側をスライドさせるようにしたが、要はコインを取り出せればよいので、例えば、前面部分を蓋のように開ける構造にしても構わない。
【００２４】
また、上記の例では、１０円硬貨、５０円硬貨、１００円硬貨、５００円硬貨の４種類のコインを対象としたが、１円硬貨、５円硬貨も対応可能である。
【図面の簡単な説明】
【００２５】
【図１】本考案に係る貯金箱の一例を示す斜視図である。
【図２】図１に示した貯金箱の縦方向の断面図である。
【符号の説明】
【００２６】
Ｃ  コイン
１  コイン投入口
２  仕切板
３，４，５  スロープ
６，７，８，９  開口
１０  通路
１１，１２，１３，１４  隙間状空間
【図１】
0003124640.tif 000003
【図２】
0003124640.tif 000004